(57)【要約】【課題】車両に内装パネルを組付けるときの組付け作業性を向上させることができる内装パネル用組付け治具を提供する。【解決手段】  内装パネル用組付け治具１０は、車両に内装パネル１を組付けるときにこの内装パネル１に取付けて使用するものであり、内装パネル１において貫通開口８を隔てて互いに対向し且ついずれも車両への組付けのためのボルト孔１ａを有する第１組付部２及び第２組付部３のそれぞれにそれぞれが係合可能な第１係合部２０及び第２係合部３０と、第１係合部２０と第２係合部３０とを固定的に連結する連結部４０と、を備える。【選択図】図１
2018079799.tif 000002
【特許請求の範囲】
【請求項１】
車両に内装パネルを組付けるときにこの内装パネルに取付けて使用する内装パネル用組付け治具であって、
上記内装パネルにおいて貫通開口を隔てて互いに対向し且ついずれも上記車両への組付けのためのボルト孔を有する第１組付部及び第２組付部のそれぞれにそれぞれが係合可能な第１係合部及び第２係合部と、
上記第１係合部と上記第２係合部とを固定的に連結する連結部と、
を備える、内装パネル用組付け治具。
【請求項２】
上記連結部は、上記第１係合部が上記第１組付部に係合し且つ上記第２係合部が上記第２組付部に係合した取付け状態で上記内装パネルの上記貫通開口に架け渡されるように構成されている、請求項１に記載の内装パネル用組付け治具。
【請求項３】
上記第１係合部が上記第１組付部に係合し且つ上記第２係合部が上記第２組付部に係合した取付け状態で上記第１組付部の上記ボルト孔と上記第２組付部の上記ボルト孔との孔間隔が予め設定された設定間隔となるように、上記第１係合部と上記第２係合部との相対位置が定められている、請求項１または２に記載の内装パネル用組付け治具。
【請求項４】
上記第１係合部は、上記内装パネルの上記第１組付部に設けられている係合孔に挿入出可能に係合する第１係合爪を備え、上記第２係合部は、上記内装パネルの上記第２組付部に設けられている係合孔に挿入出可能に係合する第２係合爪を備える、請求項１〜３のいずれか一項に記載の内装パネル用組付け治具。
【請求項５】
上記第１係合部は、上記第１係合爪の内方に上記第１係合爪に沿って対向配置され且つ上記第１係合爪との間隔が爪先端部から爪末端部に向かうにつれて徐々に狭くなるように傾斜した傾斜面を有する第１補助爪を備え、上記第１係合爪が上記係合孔に挿入されるときに上記第１組付部のうち上記貫通開口を臨む開口縁部を上記第１係合爪と上記第１補助爪の上記傾斜面とによって挟み込むように構成され、
上記第２係合部は、上記第２係合爪の内方に上記第２係合爪に沿って対向配置され且つ上記第２係合爪との間隔が爪先端部から爪末端部に向かうにつれて徐々に狭くなるように傾斜した傾斜面を有する第２補助爪を備え、上記第２係合爪が上記係合孔に挿入されるときに上記第２組付部のうち上記貫通開口を臨む開口縁部を上記第２係合爪と上記第２補助爪の上記傾斜面とによって挟み込むように構成されている、請求項４に記載の内装パネル用組付け治具。
【請求項６】
上記第１係合爪及び上記第２係合爪はいずれも、爪先端部と爪末端部との間に設けられた屈曲部において上向きに屈曲している、請求項４または５に記載の内装パネル用組付け治具。
【請求項７】
上記第１係合部は、上記第１係合爪としての、上記第１組付部に設けられている下部係合孔に挿入出可能に係合する第１下爪と、上記第１組付部の上記下部係合孔よりも上方に設けられている上部係合孔に挿入出可能に係合する第１上爪と、を備え、
上記第２係合部は、上記第２係合爪としての、上記第２組付部に設けられている下部係合孔に挿入出可能に係合する第２下爪と、上記第１組付部の上記下部係合孔よりも上方に設けられている上部係合孔に挿入出可能に係合する第２上爪と、を備える、請求項４〜６のいずれか一項に記載の内装パネル用組付け治具。
【請求項８】
上記連結部は、作業者が手指で把持可能でありその断面形状が一様な第１領域と、上記第１領域の両側に連接して設けられ上記第１領域から遠ざかるにつれて断面が徐々に拡張された第２領域と、を備える、請求項１〜７のいずれか一項に記載の内装パネル用組付け治具。
【発明の詳細な説明】
【技術分野】
【０００１】
本発明は、車両に内装パネルを組付けるときに使用する組付け治具に関する。
【背景技術】
【０００２】
従来、下記の特許文献１には、内装パネルの１つであるインストルメントパネル（以下、単に「インパネ」ともいう。）を車両に組付けるときに使用する組付け治具が開示されている。この組付け治具は、インパネを含むインパネモジュールを保持するためのインパネホルダと、空調装置を保持するための空調ホルダと、を備えている。この組付け治具を使用することによって、インパネモジュールと空調装置を一体的に保持した状態で車両に組付けることが可能になる。
【先行技術文献】
【特許文献】
【０００３】
【特許文献１】特開２００６−８８８２５号公報
【発明の概要】
【発明が解決しようとする課題】
【０００４】
ところで、上記のようなインパネは、複数の部位（以下、「組付部という。）のそれぞれに車両への組付けのためのボルト孔を備えている。このため、各組付部のボルト孔に挿入されたボルト部材を車両に締め付けることによって、インパネを車両に組付けることができる。
【０００５】
ところが、インパネの複数の組付部の中に、車両の搭載部品の配置のために形成された貫通開口を隔てて互いに対向する組付部が含まれている。このような組付部は、貫通開口を臨まない組付部に比べて動きに自由度があるためぐらつき易く、この組付部に設けられているボルト孔の位置精度が低下する。そして、ボルト孔の位置精度が低下した場合、車両にインパネを組付けるときのボルト孔の位置合わせに手間がかかり組付け作業性が低下するという問題があった。このような問題は、インパネをはじめとして車両に組付けられる各種の内装パネルについて生じ得る。
ここで、特許文献１に開示の組付け治具は、インパネのような内装パネルを保持する機能を有する一方で、組付部の位置精度の低下を抑える機能を有するものではなく、上記のような問題を解消することはできない。
【０００６】
本発明は、かかる課題に鑑みてなされたものであり、車両に内装パネルを組付けるときの組付け作業性を向上させることができる内装パネル用組付け治具を提供しようとするものである。
【課題を解決するための手段】
【０００７】
本発明の一態様は、
車両に内装パネルを組付けるときにこの内装パネルに取付けて使用する内装パネル用組付け治具であって、
上記内装パネルにおいて貫通開口を隔てて互いに対向し且ついずれも上記車両への組付けのためのボルト孔を有する第１組付部及び第２組付部のそれぞれにそれぞれが係合可能な第１係合部及び第２係合部と、
上記第１係合部と上記第２係合部とを固定的に連結する連結部と、
を備える、内装パネル用組付け治具、にある。
【発明の効果】
【０００８】
上記の内装パネル用組付け治具（以下、単に「組付け治具」ともいう。）は、第１係合部が内装パネルの第１組付部に係合し且つ第２係合部が内装パネルの第２組付部に係合することによって内装パネルに取付けられる。このとき、第１係合部と第２係合部は、連結部を介して互いに固定された状態にある。従って、組付け治具は、内装パネルへの取付け状態で第１組付部と第２組付部とを固定的に連結して、これら第１組付部及び第２組付部の動きを規制することができるため、各組付部の位置精度の低下を小さく抑えることができる。このため、第１組付部及び第２組付部のそれぞれに設けられているボルト孔の位置が本来の適正な位置からずれにくくなり、車両に内装パネルを組付けるときのボルト孔の位置合わせに要する時間を短く抑えることができる。その結果、内装パネルの組付け作業の手間を少なくでき組付け作業性が向上する。
【０００９】
以上のごとく、上記の態様の組付け治具を使用することによって、車両に内装パネルを組付けるときの組付け作業性を向上させることができる。
【図面の簡単な説明】
【００１０】
【図１】実施形態１の組付け治具が取付けられた内装パネルを模式的に示す図。
【図２】図１中の組付け治具を斜め前方から視た斜視図。
【図３】図２の組付け治具を上方から視た図。
【図４】図２の組付け治具を左側から視た左側面図。
【図５】図２の組付け治具を右側から視た右側面図。
【図６】組付け治具を内装パネルに取付けるための第１ステップを示す左側面図。
【図７】組付け治具を内装パネルに取付けるための第２ステップを示す左側面図。
【図８】組付け治具を内装パネルに取付けるための第３ステップを示す左側面図。
【図９】図３中の第１補助爪の動きを説明するための図。
【図１０】図９のX-X線断面矢視図。
【図１１】図３中の第２補助爪の動きを説明するための図。
【図１２】図１１のXII-XII線断面矢視図。
【図１３】実施形態２の組付け治具を斜め前方から視た斜視図。
【図１４】実施形態３の組付け治具を斜め前方から視た斜視図。
【発明を実施するための形態】
【００１１】
上記の組付け治具において、上記連結部は、上記第１係合部が上記第１組付部に係合し且つ上記第２係合部が上記第２組付部に係合した取付け状態で上記内装パネルの上記貫通開口に架け渡されるように構成されているのが好ましい。
【００１２】
この組付け治具によれば、連結部が第１係合部と第２係合部とを連結する距離を短くでき、且つ第１組付部及び第２組付部の動きを規制する効果を高めることができる。
【００１３】
上記の組付け治具において、上記第１係合部が上記第１組付部に係合し且つ上記第２係合部が上記第２組付部に係合した取付け状態で上記第１組付部の上記ボルト孔と上記第２組付部の上記ボルト孔との孔間隔が予め設定された設定間隔となるように、上記第１係合部と上記第２係合部との相対位置が定められているのが好ましい。
【００１４】
この組付け治具によれば、組付け治具を内装パネルに取付けた取付け状態で、第１組付部のボルト孔と第２組付部のボルト孔との孔間隔を設定間隔に維持することができる。このため、内装パネルの組付け作業時にボルト孔の位置合わせに要する時間を更に短く抑えることができる。
【００１５】
上記の組付け治具において、上記第１係合部は、上記内装パネルの上記第１組付部に設けられている係合孔に挿入出可能に係合する第１係合爪を備え、上記第２係合部は、上記内装パネルの上記第２組付部に設けられている係合孔に挿入出可能に係合する第２係合爪を備えるのが好ましい。
【００１６】
この組付け治具によれば、各係合部の係合爪が内装パネルのうち対応する係合孔に挿入されてこの係合孔に係合することによってこの組付け治具が内装パネルに取付けられる。一方で、各係合部の係合爪が対応する係合孔から挿出されることによってこの組付け治具が内装パネルから取外される。このように、係合爪と係合孔との係合を利用することによって、内装パネルに対する組付け治具の取付け及び取り外しを容易に行うことができる。
【００１７】
上記の組付け治具において、上記第１係合部は、上記第１係合爪の内方に上記第１係合爪に沿って対向配置され且つ上記第１係合爪との間隔が爪先端部から爪末端部に向かうにつれて徐々に狭くなるように傾斜した傾斜面を有する第１補助爪を備え、上記第１係合爪が上記係合孔に挿入されるときに上記第１組付部のうち上記貫通開口を臨む開口縁部を上記第１係合爪と上記第１補助爪の上記傾斜面とによって挟み込むように構成され、上記第２係合部は、上記第２係合爪の内方に上記第２係合爪に沿って対向配置され且つ上記第２係合爪との間隔が爪先端部から爪末端部に向かうにつれて徐々に狭くなるように傾斜した傾斜面を有する第２補助爪を備え、上記第２係合爪が上記係合孔に挿入されるときに上記第２組付部のうち上記貫通開口を臨む開口縁部を上記第２係合爪と上記第２補助爪の上記傾斜面とによって挟み込むように構成されているのが好ましい。
【００１８】
この組付け治具によれば、第１係合爪は、第１組付部の係合孔に挿入される動作に伴い、第１補助爪の傾斜面にしたがってその係合孔の孔縁のうち開口縁部寄りである内側領域に向けて付勢されてこの内側領域に当接する一方で、この内側領域に対向する外側領域には当接しない。また、第２係合爪は、第１係合爪の場合と同様に、第２組付部の係合孔に挿入される動作に伴い、第２補助爪の傾斜面にしたがってその係合孔の孔縁のうち開口縁部寄りである内側領域に向けて付勢されてこの内側領域に当接する一方で、この内側領域に対向する外側領域には当接しない。即ち、この組付け治具は、補助爪を利用して各係合爪を係合孔内で孔縁の内側領域に向けて付勢することによって、各係合爪と孔縁の外側領域との当接を回避する当接回避構造を有する。
【００１９】
ここで、内装パネルの既存の係合孔に内装部品を取付けるときには、この係合孔の孔縁のうちの外側領域に、内装部品に設けられている係止爪（先端に引っ掛かり部分を有する爪体）を引っ掛けるようにするのが一般的である。このため、上記の当接回避構造を採用することによって、既存の係合孔の孔縁の外側領域が組付け治具の係合爪によって摩耗したり削られたりするのが防止される。これにより、内装部品の取付けのための既存の係合孔を、組付け治具の取付けのための係合孔に利用することができる。
【００２０】
上記の組付け治具において、上記第１係合爪及び上記第２係合爪はいずれも、爪先端部と爪末端部との間に設けられた屈曲部において上向きに屈曲しているのが好ましい。
【００２１】
この組付け治具によれば、第１係合爪及び第２係合爪が少なくとも屈曲部まで対応する係合孔に挿入されることによって、爪先端部と屈曲部との間の部位が対応する係合孔からの抜け止めとなる。このとき、組付け治具が他の助けを要することなく自立して内装パネルに保持されるため、内装パネルに一旦取付けられた組付け治具がこの内装パネルから離脱するのを防ぐことができる。
【００２２】
上記の組付け治具において、上記第１係合部は、上記第１係合爪としての、上記第１組付部に設けられている下部係合孔に挿入出可能に係合する第１下爪と、上記第１組付部の上記下部係合孔よりも上方に設けられている上部係合孔に挿入出可能に係合する第１上爪と、を備え、上記第２係合部は、上記第２係合爪としての、上記第２組付部に設けられている下部係合孔に挿入出可能に係合する第２下爪と、上記第１組付部の上記下部係合孔よりも上方に設けられている上部係合孔に挿入出可能に係合する第２上爪と、を備えるのが好ましい。
【００２３】
この組付け治具によれば、第１係合部の２つの係合爪（第１下爪及び第１上爪）と第２係合部の２つの係合爪（第２下爪及び第２上爪）とを合わせた計４つの爪を利用することによって、この組付け治具を内装パネルに少なくとも四箇所で確実に取付けることができる。
【００２４】
上記の組付け治具において、上記連結部は、作業者が手指で把持可能でありその断面形状が一様な第１領域と、上記第１領域の両側に連接して設けられ上記第１領域から遠ざかるにつれて断面が徐々に拡張された第２領域と、を備えるのが好ましい。
【００２５】
この場合、第１領域は連結部の各領域の中で作業者が手指で把持し易い領域である一方で、第２領域は連結部の各領域の中で作業者が手指で把持し難い領域である。このため、作業者が内装パネルに組付け治具を取付ける連結部を操作するとき、第１領域を直接手指で把持した場合はそのまま操作できるし、第２領域を手指で把持しようとした場合はその手指が第２領域から第１領域へとガイドされる。これにより、組付け治具の操作性を高めることができる。
【００２６】
以下、内装パネル用組付け治具（以下、単に「組付け治具」という。）の実施形態について、図面を参照しつつ説明する。
【００２７】
なお、この組付け治具の説明のための図面において、前方を矢印ＦＲで示し、上方を矢印ＵＰで示し、右方を矢印Ｒで示し、左方を矢印Ｌで示している。
【００２８】
（実施形態１）
図１に示されるように、実施形態１の組付け治具１０は、車両に内装パネル１を組付けるときにこの内装パネル１に取付けて使用する治具である。内装パネル１は、フロントウィンドウの下方において運転席前方から助手席前方にかけて車幅方向に延在するインストルメントパネルである。ここで、図１には、車両の組付けられる内装パネル１のうち、その組付け状態で右前席の前方に位置する右側領域のみが示されている。
【００２９】
内装パネル１は、車両への組付けのための複数の組付け部のそれぞれにボルト孔１ａを備えている。この内装パネル１は、各ボルト孔１ａに挿入されたボルト部材（図示省略）によって車両に締め付け固定される。この内装パネル１は、貫通開口８を隔てて互いに対向する第１組付部２及び第２組付部３を備えている。第１組付部２及び第２組付部３のそれぞれにもボルト孔１ａが設けられている。第１組付部２と第２組付部３との間に貫通開口８は、車両に搭載される搭載部品の配置のために内装パネル１に開口形成されている。
【００３０】
第１組付部２には、少なくとも２つの矩形の係合孔４，５が設けられている。係合孔４は、第１組付部２の下部領域に設けられた下部係合孔４である。係合孔５は、第１組付部２において係合孔４よりも上方に設けられた上部係合孔５である。
【００３１】
第２組付部３は、第１組付部２の右側に位置する。この第２組付部３には、少なくとも２つの矩形の係合孔６，７が設けられている。係合孔６は、第２組付部３の下部領域に設けられた下部係合孔６である。係合孔７は、第２組付部３において係合孔６よりも上方に設けられた上部係合孔７である。
【００３２】
上記の４つの係合孔４，５，６，７はいずれも、内装パネル１に内装部品（図示省略）を取付けるときに使用される既存の係合孔である。この内装部品は、その係止爪（先端に引っ掛かり部分を有する爪体）が係合孔に引っ掛けられて係止されるように構成されている。２つの係合孔４，６の孔間隔は、２つの係合孔５，７の孔間隔と一致している。
【００３３】
組付け治具１０は、４つの係合孔４，５，６，７を利用して内装パネル１に取付けられるように構成されている。また、この組付け治具１０は、内装パネル１に取付けられた取付け状態で、第１組付部２及び第２組付部３のそれぞれのボルト孔１ａを塞がない位置に配置される。これにより、内装パネル１の組付けを、この内装パネル１に組付け治具１０が取付けられたままの状態で実施することができる。
【００３４】
この組付け治具１０は、所望の剛性を確保することができ且つ取付けられた内装パネル１を傷つけ難い材料、典型的には樹脂材料によって構成されるのが好ましい。
【００３５】
ここで、内装パネル１は、車両に搭載されるニーエアバッグ（図示省略）の配置スペースを確保するために、第１組付部２と第２組付部３とを接続する接続片１ｂが後加工によって切断除去されるように構成されている。そして、接続片１ｂが切断除去された後の内装パネル１が車両に組付けられる。
なお、この内装パネル１は、接続片１ｂの相当する部位の無い形状に予め成形された成形品であってもよい。
【００３６】
この内装パネル１において、切断除去される前の接続片１ｂは二点鎖線で示される位置にあり貫通開口８の開口縁が閉じた形状をなす。これに対して、接続片１ｂが切断除去された後は貫通開口８の開口縁の下側領域が無くなるためこの開口縁が開いた形状をなす。このとき、接続片１ｂの切断除去によって第１組付部２及び第２組付部３がともにぐらつき易くなり、第１組付部２のボルト孔１ａや第２組付部３のボルト孔１ａの位置精度は、接続片１ｂが有る場合に比べて低下する。そして、ボルト孔１ａの位置精度が低下した場合、車両に内装パネル１を組付けるときのボルト孔１ａの位置合わせに手間がかかり組付け作業性が低下するという問題が生じる。
【００３７】
そこで、本実施形態の組付け治具１０は、上記の問題を解消するのに有効な治具として構成されたものであり、左側の第１係合部２０と、右側の第２係合部３０と、連結部４０と、を備えている。第１係合部２０は、内装パネル１の第１組付部２に係合可能に構成されている。第２係合部３０は、内装パネル１の第２組付部３に係合可能に構成されている。連結部４０は、第１係合部２０と第２係合部３０とを固定的に連結するように構成されている。この連結部４０は、第１係合部２０が第１組付部２に係合し且つ第２係合部３０が第２組付部３に係合した取付け状態で内装パネル１の貫通開口８に架け渡されるように構成されている。
【００３８】
この組付け治具１０は、第１係合部２０が第１組付部２に係合し且つ第２係合部３０が第２組付部３に係合した取付け状態で第１組付部２のボルト孔１ａと第２組付部３のボルト孔１ａとの孔間隔Ｄが予め設定された設定間隔となるように、第１係合部２０と第２係合部３０との相対位置が定められている。ここでいう孔間隔Ｄは、一方のボルト孔１ａの孔中心と他方のボルト孔１ａの孔中心とを直線的に結んだ寸法をいう。
【００３９】
図２に示されるように、組付け治具１０の第１係合部２０は、第１係合爪としての第１下爪２１及び第１上爪２２と、連結片２３と、第１補助爪２４と、を備えている。
【００４０】
第１下爪２１は、連結部４０の左端部から前方へ延出している。この第１下爪２１は、矩形断面を有する平板状の爪体であり、内装パネル１の第１組付部２に設けられている下部係合孔４に挿入出可能に係合するように構成されている。
【００４１】
第１上爪２２は、矩形断面を有する平板状の爪体であり、内装パネル１の第１組付部２に設けられている上部係合孔５に挿入出可能に係合するように構成されている。
【００４２】
連結片２３は、第１下爪２１と第１上爪２２とを固定状に連結するように構成されている。この連結片２３を第１上爪２２の一要素として捉えることもできる。この場合、第１上爪２２は、連結部４０の左端部から上方へ延出した後に前方へ延出するように構成されている。
【００４３】
第１補助爪２４は、矩形断面を有する板状の爪体であり、第１係合爪の１つである第１下爪２１の内方にこの第１下爪２１に沿って対向配置されるように構成されている。
【００４４】
また、組付け治具１０の第２係合部３０は、第１係合部２０と左右対称であり、第２係合爪としての第２下爪３１及び第２上爪３２と、連結片３３と、第２補助爪３４と、を備えている。
【００４５】
第２下爪３１は、連結部４０の右端部から前方へ延出している。この第２下爪３１は、第１下爪２１と同形状であり、内装パネル１の第２組付部３に設けられている下部係合孔６に挿入出可能に係合するように構成されている。
【００４６】
第２上爪３２は、第１上爪２２と同形状であり、内装パネル１の第２組付部３に設けられている上部係合孔７に挿入出可能に係合するように構成されている。
【００４７】
連結片３３は、第２下爪３１と第２上爪３２とを固定状に連結するように構成されている。この連結片３３を第３上爪３２の一要素として捉えることもできる。この場合、第２上爪３２は、連結部４０の右端部から上方へ延出した後に前方へ延出するように構成されている。
【００４８】
第２補助爪３４は、第１補助爪２４と左右対称形状であり、第２係合爪の１つである第２下爪３１の内方にこの第２下爪３１に沿って対向配置されるように構成されている。
【００４９】
上記の４つの係合爪２１，２２，３１，３２はいずれも左右方向を板厚とし、上下方向を板幅とし、板厚が一様となるように構成されている。２つの係合爪２１，３１は、互いに平行に延在し、且つその爪間隔が２つの係合孔４，６の孔間隔と一致するように構成されている。また、２つの係合爪２２，３２は、互いに平行に延在し、且つその爪間隔が２つの係合孔５，７の孔間隔と一致するように構成されている。
【００５０】
連結部４０は、左右方向の中央に位置する第１領域４１と、この第１領域４１の両側に連接して設けられた第２領域４２と、を備えている。第１領域４１は、作業者が手指で把持可能でありその断面形状が一様となるように構成されている。この第１領域４１に組付け治具１０の重心Ｇがある。第２領域４２は、第１領域４１に対して傾斜した傾斜面４２ａを有し、この第１領域４１から遠ざかるにつれて断面が徐々に拡張された領域として構成されている。
【００５１】
この場合、第１領域４１は連結部４０の各領域の中で作業者が手指で最も把持し易い領域である一方で、第２領域４２は傾斜面４２ａを有するため作業者が手指で把持し難い領域である。このため、作業者が内装パネル１に組付け治具１０を取付けるために連結部４４を操作するとき、第１領域４１を直接手指で把持した場合はそのまま操作できるし、第２領域４２を手指で把持しようとした場合はその手指が第２領域４２の傾斜面４２ａにしたがって第１領域４１へとガイドされる。これにより、組付け治具１０の操作性を高めることができる。
【００５２】
連結部４０の第１領域４１は、作業者が手指で把持し易い寸法設定がなされた形状であるのが好ましい。例えば、第１領域４１が３０ｍｍ×３０ｍｍ程度の角柱形状である場合、作業者はこの第１領域４１を手指で把持し易い。また、この第１領域４１の把持状態で組付け治具１０の向きを、特に４つの爪２１，２２，３１，３２の向きを把握し易いため、作業者は組付け治具１０を内装パネル１に取付ける操作を速やかに行うことができる。
【００５３】
図３に示されるように、第１下爪２１は、その板厚が下部係合孔４の孔幅を下回るように構成されている。これにより、第１下爪２１を下部係合孔４に挿入出可能である。また、第１下爪２１は、その爪先端部２１ａが第１補助爪２４の爪先端部２４ａよりも前方へ突出するように構成されている。これにより、第１下爪２１を下部係合孔４に挿入し易い。
【００５４】
第１係合部２０において、第１下爪２１と第１補助爪２４との間隔ｄ１は、爪先端部２１ａと爪先端部２４ａとの位置において第１組付部２のうち貫通開口８を臨む開口縁部２ａの左右方向の幅を上回るように設定されている。また、第１補助爪２４は、第１下爪２１との対向部分に傾斜面２４ｃを有する。この傾斜面２４ｃは、第１下爪２１との間隔ｄ１が爪先端部２４ａから爪末端部２４ｂに向かうにつれて徐々に狭くなるように傾斜している。これにより、第１係合部２０は、第１下爪２１が下部係合孔４に挿入されるときに、第１組付部２の開口縁部２ａを第１下爪２１と第１補助爪２４の傾斜面２４ｃとによって挟み込むように構成されている。
【００５５】
第２下爪３１は、その板厚が下部係合孔６の孔幅を下回るように構成されている。これにより、第２下爪３１を下部係合孔６に挿入出可能である。また、第２下爪３１は、その爪先端部３１ａが第２補助爪３４の爪先端部３４ａよりも前方へ突出するように構成されている。これにより、第２下爪３１を下部係合孔６に挿入し易い。
【００５６】
第２係合部３０において、第２下爪３１と第２補助爪３４との間隔ｄ２は、爪先端部３１ａと爪先端部３４ａとの位置において第２組付部３のうち貫通開口８を臨む開口縁部３ａの左右方向の幅を上回るように設定されている。また、第２補助爪３４は、第２下爪３１との対向部分に傾斜面３４ｃを有する。この傾斜面３４ｃは、第２下爪３１との間隔ｄ２が爪先端部３４ａから爪末端部３４ｂに向かうにつれて徐々に狭くなるように傾斜している。これにより、第２係合部３０は、第２下爪３１が下部係合孔６に挿入されるときに、第２組付部３の開口縁部３ａを第２下爪３１と第２補助爪３４の傾斜面３４ｃとによって挟み込むように構成されている。
【００５７】
図４に示されるように、第１係合爪の１つである第１上爪２２は、爪先端部２２ａと爪末端部２２ｂとの間に設けられた屈曲部２２ｃにおいて上向きに屈曲している。即ち、爪末端部２２ｂから前方へ直線的に延在した第１上爪２２は、屈曲部２２ｃで上向きに屈曲した後に爪先端部２２ａまでそのまま直線的に延在している。
【００５８】
図５に示されるように、第２係合爪の１つである第２上爪３２は、第１上爪２２と同様に、爪先端部３２ａと爪末端部３２ｂとの間に設けられた屈曲部３２ｃにおいて上向きに屈曲している。即ち、爪末端部２４ａから前方へ直線的に延在した第１上爪２２は、屈曲部２２ｃで上向きに屈曲した後に爪先端部２２ａまでそのまま直線的に延在している。
【００５９】
次に、図６〜図１０を参照しながら、上記の組付け治具１０を作業者が連結部４０を手指で把持して内装パネル１に取付けるときの、左側の第１係合爪（第１下爪２１及び第１上爪２２）と内装パネル１の左側の係合孔（下部係合孔４及び上部係合孔５）との係合態様について説明する。
【００６０】
なお、組付け治具１０は左右対称形状であり、組付け治具１０を内装パネル１に取付けるときの係合爪と係合孔との係合態様は左右で同じであるため、ここでは右側の第２係合爪（第２下爪３１及び第２上爪３２）と内装パネル１の右側の係合孔（下部係合孔６及び上部係合孔７）との係合態様の一部については、図面を参照することなく説明する。
【００６１】
図６に示されるように、組付け治具１０は、内装パネル１への取付けの第１ステップとして、作業者によって内装パネル１に対して傾いた状態の第１位置Ｐ１に設定される。この第１位置Ｐ１において、この組付け治具１０は、第１上爪２２の爪先端部２２ａが上部係合孔５に挿入され、且つ第１下爪２１が下部係合孔４に挿入されていない状態にある。また、この組付け治具１０は、第２上爪３２の爪先端部３２ａが上部係合孔７に挿入され、且つ第２下爪３１が下部係合孔６に挿入されていない状態にある。
【００６２】
図７に示されるように、組付け治具１０は、内装パネル１への取付けの第２ステップとして、上部係合孔５の孔縁５ａに当接している第１上爪２２の下面を中心として第１位置Ｐ１から第２位置Ｐ２へと概ね水平な状態まで回動するように作業者によって操作される。この第２位置Ｐ１において、組付け治具１０は、第１上爪２２の爪先端部２２ａが上部係合孔５に挿入され、且つ第１下爪２１の先端部２１ａが下部係合孔４に挿入された状態にある。また、この組付け治具１０は、第２上爪３２の爪先端部３２ａが上部係合孔７に挿入され、且つ第２下爪３１の先端部３１ａが下部係合孔６に挿入された状態にある。
【００６３】
図８に示されるように、組付け治具１０は、内装パネル１への取付けの第３ステップとして、水平な状態のまま第２位置Ｐ２から第３位置Ｐ３へとスライドするように作業者によって操作される。この第３位置Ｐ３において、組付け治具１０は、第１上爪２２が屈曲部２２ｃを越えて爪末端部２２ｂまで上部係合孔５に挿入された状態にある。また、この組付け治具１０は、第２上爪３２が屈曲部３２ｃを越えて爪末端部３２ｂまで上部係合孔７に挿入された状態にある。
【００６４】
ここで、組付け治具１０の重心Ｇは、係合孔５，７との係合部分よりも後方に位置する連結部４０に、即ち上爪２２，３２から離れた下爪２１，３１寄りに設定されている。このため、この組付け治具１０は、第１上爪２２及び第２上爪３２を回動中心として第１下爪２１及び第２下爪３１が内装パネル１に近づく方向に回動しようとする。
【００６５】
このとき、第１上爪２２の屈曲部２２ｃは、この第１上爪２２が上部係合孔５から抜け出すのを規制する抜け止めとなる。即ち、第１上爪２２が上部係合孔５から後方へ水平に抜き出される動作に対しては、爪先端部２２ａと屈曲部２２ｃとの間に部位が上部係合孔５の孔縁５ａに引っ掛かってこの動作の邪魔をする。また、第２上爪３２の屈曲部３２ｃも同様に、この第２上爪３２が上部係合孔７から抜け出すのを規制する抜け止めとなる。
【００６６】
その結果、作業者が組付け治具１０の連結部４０から手を放した場合でも、この組付け治具１０が他の助けを要することなく自立して内装パネル１に保持される。このため、内装パネル１に一旦取付けられた組付け治具１０がこの内装パネル１から離脱するのを防ぐことができる。
【００６７】
図９に示されるように、組付け治具１０が図８中の第２位置Ｐ２から第３位置Ｐ３へとスライドするとき、第１下爪２１が内装パネル１の下部係合孔４に挿入された状態で、この第１下爪２１と第１補助爪２４との間に第１組付部２の開口縁部２ａが進入する。そして、第１下爪２１を開口縁部２ａが第１下爪２１と第１補助爪２４との双方に接するまで下部係合孔４に挿入することができる。
【００６８】
このとき、図１０に示されるように、第１下爪２１が下部係合孔４に挿入される動作に伴って、第１補助爪２４の傾斜面２４ｃにしたがってその下部係合孔４の孔縁のうち開口縁部２ａ寄りである内側領域４ａに向けて付勢されてこの内側領域４ａに当接する一方で、内側領域４ａに対向する外側領域４ｂには当接しない。即ち、この第１下爪２１は下部係合孔４内を右寄りに移動する。
【００６９】
一方で、図１１に示されるように、組付け治具１０が図８中の第２位置Ｐ２から第３位置Ｐ３へとスライドするとき、第２下爪３１が内装パネル１の下部係合孔６に挿入された状態で、この第２下爪３１と第２補助爪３４との間に第２組付部３の開口縁部３ａが進入する。そして、第２下爪３１を開口縁部３ａが第２下爪３１と第２補助爪３４との双方に接するまで下部係合孔６に挿入することができる。
【００７０】
このとき、図１２に示されるように、第２下爪３１が下部係合孔６に挿入される動作に伴って、第２補助爪３４の傾斜面３４ｃにしたがってその下部係合孔６の孔縁のうち開口縁部３ａ寄りである内側領域６ａに向けて付勢されてこの内側領域６ａに当接する一方で、内側領域６ａに対向する外側領域６ｂには当接しない。即ち、この第２下爪３１は下部係合孔６内を左寄りに移動する。
【００７１】
このように、組付け治具１０は、第１下爪２１を下部係合孔４内で孔縁の内側領域４ａに向けて付勢することによって第１下爪２１と孔縁の外側領域４ｂとの当接を回避し、且つ第２下爪３１を下部係合孔６内で孔縁の内側領域６ａに向けて付勢することによって第２下爪３１と孔縁の外側領域６ｂとの当接を回避する当接回避構造を有している。
【００７２】
ここで、内装パネル１の既存の係合孔に内装部品を取付けるときには、この係合孔の孔縁のうちの外側領域に内装部品の係止爪が引っ掛けられる。このため、上記の当接回避構造を採用することによって、既存の係合孔の孔縁の外側領域が組付け治具の係合爪によって摩耗したり削られたりするのが防止される。これにより、内装部品の取付けのための既存の係合孔を、組付け治具１０の取付けのための下部係合孔４，６に利用することができる。
【００７３】
上述のように、組付け治具１０の係合部２０，３０のそれぞれの係合爪が内装パネル１のうち対応する係合孔に挿入されてこの係合孔に係合することによってこの組付け治具１０が内装パネル１に取付けられる。組付け治具１０が内装パネル１に取付けられた取付け状態で、この内装パネル１は、各ボルト孔１ａに挿入されたボルト部材（図示省略）によって車両に締め付け固定される。これにより、内装パネル１に組付け治具１０が取付けられたままの状態でこの内装パネル１が車両に組付けられる。
【００７４】
内装パネル１の組付けが終了すると、係合部２０，３０のそれぞれの係合爪が対応する係合孔から挿出されることによってこの組付け治具１０が内装パネル１から取外される。この場合、組付け治具１０を、係合部２０，３０のそれぞれの係合爪が対応する係合孔に挿入されたときの移動軌跡とは逆の移動軌跡にしたがって動かすことができる。
【００７５】
次に、実施形態１の組付け治具１０の作用効果について説明する。
【００７６】
組付け治具１０が内装パネル１に取付けられた取付け状態において、第１係合部２０が第１組付部２に係合し且つ第２係合部３０が第２組付部３に係合するとともに、第１係合部２０と第２係合部３０は、連結部４０を介して互いに固定された状態にある。従って、組付け治具１０は、内装パネル１への取付け状態で第１組付部２と第２組付部３とを固定的に連結して、これら第１組付部２及び第２組付部３の動きを規制することができるため、各組付部の位置精度の低下を小さく抑えることができる。
【００７７】
このため、第１組付部２及び第２組付部３のそれぞれに設けられているボルト孔１ａの位置が本来の適正な位置からずれにくくなり、車両に内装パネル１を組付けるときのボルト孔１ａの位置合わせに要する時間を短く抑えることができる。その結果、内装パネル１の組付け作業の手間を少なくでき組付け作業性が向上する。
【００７８】
また、上記の組付け治具１０によれば、内装パネル１への取付け状態で連結部４０が貫通開口８に架け渡されるように構成されているため、連結部４０が第１係合部２０と第２係合部３０とを連結する距離を短くでき、且つ第１組付部２０及び第２組付部３０の動きを規制する効果を高めることができる。
【００７９】
ここで、この内装パネル１は、接続片１ｂの切断除去によって貫通開口８の開口縁が開いた形状をなしており、第１組付部２及び第２組付部３がともにぐらつき易いため、連結部４０が貫通開口８に架け渡されるように構成された組付け治具１０は、このような内装パネル１の組付け作業性を向上させるのに特に効果がある。
なお、内装パネル１のように貫通開口８の開口縁が開いた形状をなしているもののみならず、貫通開口８の開口縁が閉じた形状をなしているものに対しても同様に、この組付け治具１０の上述の種々の作用効果が得られることは勿論である。
【００８０】
また、上記の組付け治具１０によれば、内装パネル１への取付け状態で、第１組付部２のボルト孔１ａと第２組付部３のボルト孔１ａとの孔間隔Ｄを設定間隔に維持することができる。このため、内装パネル１の組付け作業時にボルト孔１ａの位置合わせに要する時間を更に短く抑えることができる。
【００８１】
また、上記の組付け治具１０によれば、係合爪と係合孔との係合を利用することによって、内装パネル１に対する組付け治具１０の取付け及び取り外しを容易に行うことができる。
【００８２】
また、上記の組付け治具１０によれば、第１係合部２０の２つの係合爪（第１下爪２１及び第１上爪２２）と第２係合部３０の２つの係合爪（第２下爪３１及び第２上爪３２）とを合わせた計４つの爪を利用して、この組付け治具１０を内装パネル１に少なくとも四箇所で確実に取付けることができる。
【００８３】
以下、上記の実施形態１に関連する他の実施形態について図面を参照しつつ説明する。他の実施形態において、実施形態１の要素と同一の要素には同一の符号を付しており、当該同一の要素についての説明は省略する。
【００８４】
（実施形態２）
図１３に示されるように、実施形態２の組付け治具１１０は、上記の第１補助爪２４と上記の第２補助爪３４とが設けられていない点において、実施形態１の組付け治具１０と相違している。
その他の構成は、実施形態１と同様である。
【００８５】
実施形態２によれば、２つの補助爪２４，３４を省略することによって、組付け治具１１０の構造を簡素化することができる。
その他、実施形態１と同様の作用効果を奏する。
【００８６】
（実施形態３）
図１４に示されるように、実施形態３の組付け治具２１０は、上記の第１上爪２２と上記の第２上爪３２とが設けられていない点において、実施形態１の組付け治具１０と相違している。
その他の構成は、実施形態１と同様である。
【００８７】
実施形態３によれば、２つの上爪２２，３２を省略することによって、組付け治具２１０の上下方向の外形を小さく抑えることができる。
その他、実施形態１と同様の作用効果を奏する。
【００８８】
本発明は、上記の実施形態のみに限定されるものではなく、本発明の目的を逸脱しない限りにおいて種々の応用や変形が考えられる。例えば、上記の実施形態を応用した次の各形態を実施することもできる。
【００８９】
上記の実施形態では、組付け治具が内装パネル１に取付けられた状態で連結部４０が貫通開口８に架け渡される場合について例示したが、この連結部４０に代えて、第１係合部２０と第２係合部３０とを連結する一方で貫通開口８を避けて延在するように構成された連結部を採用することもできる。
【００９０】
上記の実施形態では、第１上爪２２及び第２上爪３２が上向きに屈曲する屈曲構造について例示したが、更に第１下爪２１及び第２下爪３１に対しても、第１上爪２２及び第２上爪３２と同様の屈曲構造を採用することもできる。一方で、第１上爪２２及び第２上爪３２の屈曲構造を省略し、これら第１上爪２２及び第２上爪３２がいずれも第１下爪２１及び第２下爪３１のように直線的に延在する構造を採用することもできる。
【００９１】
上記の実施形態では、第１下爪２１に対して第１補助爪２４を設け、第２下爪３１に対して第１補助爪２４を設ける場合について例示したが、第１上爪２２に対して第１補助爪２４と同様の機能を有する補助爪を設け、且つ第２上爪３２に対して第２補助爪３４と同様の機能を有する補助爪を設けることもできる。
【００９２】
上記の実施形態では、組付け治具の４つの係合爪２１，２２，３１，３２がいずれも平板状の爪体である場合について例示したが、これらの係合爪２１，２２，３１，３２に代えて、先端に引っ掛かり部分を有する係合爪を採用することもできる。また、これらの係合爪２１，２２，３１，３２の形状は、挿入される係合孔の形状に応じて適宜に変更可能である。
【００９３】
上記の実施形態では、組付け治具は、内装パネル１の係合孔に挿入される係合爪の数が４つ或いは２つである場合について例示したが、組付け治具における係合爪の数を、内装パネル１の係合孔の数に応じて５つ以上に増やすこともできる。
【００９４】
上記の実施形態では、連結部４０の第１領域４１が角柱形状である場合について例示したが、この第１領域４１の形状として、例えば円柱形状や楕円柱形状等の別の形状を採用することもできる。また、連結部４０の全部の領域を第１領域４１のように断面形状が一様な形状にすることもできる。
【００９５】
上記の実施形態では、内装パネル１に内装部品を取付けるときに使用される既存の係合孔を利用して、組付け治具を内装パネル１に取付ける場合について例示したが、内装パネル１に組付け治具に専用の係合孔として設けられた係合孔を利用するようにしてもよい。
【００９６】
上記の実施形態では、内装パネル１としてのインストルメントパネルに取付けて使用する組付け治具について例示したが、この組付け治具の構造を、インストルメントパネル以外の内装パネルに取付けて使用する組付け治具の構造に適用することもできる。
【符号の説明】
【００９７】
１  内装パネル（インストルメントパネル）  
１ａ  ボルト孔
２  第１組付部
２ａ，３ａ  開口縁部
３  第２組付部
４，６  下部係合孔（係合孔）
５，７  上部係合孔（係合孔）
８  貫通開口
１０，１１０，２１０  内装パネル用組付け治具
２０  第１係合部
２１  第１下爪（第１係合爪）
２２  第１上爪（第１係合爪）
２２ａ，２４ａ，３２ａ，３４ａ  爪先端部
２２ｂ，２４ｂ，３２ｂ，３４ｂ  爪先端部
２２ｃ，３２ｃ  屈曲部
２４  第１補助爪
２４ｃ  傾斜面
３０  第２係合部
３１  第２下爪（第２係合爪）
３２  第２上爪（第２係合爪）
３２ａ  屈曲部
３４  第２補助爪
３４ｃ  傾斜面
４０  連結部
４１  第１領域
４２  第２領域
Ｄ  孔間隔
【図１】
2018079799.tif 000003
【図２】
2018079799.tif 000004
【図３】
2018079799.tif 000005
【図４】
2018079799.tif 000006
【図５】
2018079799.tif 000007
【図６】
2018079799.tif 000008
【図７】
2018079799.tif 000009
【図８】
2018079799.tif 000010
【図９】
2018079799.tif 000011
【図１０】
2018079799.tif 000012
【図１１】
2018079799.tif 000013
【図１２】
2018079799.tif 000014
【図１３】
2018079799.tif 000015
【図１４】
2018079799.tif 000016